(57)【要約】【課題】室外機と室内機の間における通信方法としてポーリング方式を採用するものにおいて、自動アドレス設定終了後に電源が投入された室内機が存在する場合についても、室外機は、その存在を知ることができるようにする。【解決手段】アドレスを持たない室内機２３は、アドレス未設定を報知するタイミングの決定に際し、その報知するタイミングを室内機２３の電源が投入されてからの経過時間に応じて決定する事により、他のアドレスを持たない室内機との通信の衝突を避けつつ、室外機１０に対しアドレスが付与されていない室内機の存在を認識させるものである。【選択図】図４
2006177630.tif 000002
【特許請求の範囲】
【請求項１】
中央装置と複数台の端末装置間のポーリング方式による通信に関し、前記中央装置が複数台の前記端末装置を管理するために用いるアドレスの付与を自動で行なう機能を有した多端末通信方式において、アドレスが付与されていない前記端末装置は前記中央装置に対しアドレス未設定端末装置の存在を報知する機能を持ち、前記中央装置は前記端末装置からアドレス未設定の報知を受けた場合には、再度全ての前記端末装置に対しアドレスの設定を実施することを特徴とする多端末通信方式。
【請求項２】
アドレス未設定端末装置の存在を報知する機能は、アドレスが付与されていない前記端末装置自体が前記中央装置に対しアドレス未設定を報知するタイミングを単数或いは複数の要因により決定する事を特徴とする請求項１に記載の多端末通信方式。
【請求項３】
アドレスが付与されていない端末装置自体が中央装置に対しアドレス未設定を報知するタイミングは、該当端末装置の電源が投入されてからの経過時間が予め設定された時間と一致した場合とする事を特徴とする請求項２に記載の多端末通信方式。
【請求項４】
アドレスが付与されていない端末装置自体が中央装置に対しアドレス未設定を報知するタイミングは、前記中央装置が送信する特定のコマンドをトリガとし、前記特定のコマンドは前記端末装置が決定する事を特徴とする請求項２に記載の多端末通信方式。
【請求項５】
アドレスが付与されていない端末装置自体が中央装置に対しアドレス未設定を報知するタイミングは、前記中央装置からの特定のコマンドの送信回数をトリガとし、前記特定のコマンド及び前記送信回数は前記端末装置が決定する事を特徴とする請求項２に記載の多端末通信方式。
【請求項６】
アドレスが付与されていない端末装置自体が中央装置に対しアドレス未設定を報知するタイミングは、前記中央装置からのコマンドの送信回数をトリガとし、前記送信回数は前記端末装置が決定する事を特徴とする請求項２に記載の多端末通信方式。
【請求項７】
アドレスが付与されていない端末装置自体が中央装置に対しアドレス未設定を報知するタイミングは、前記中央装置に対する前記端末装置の特定のアドレスをトリガとし、前記特定のアドレスは前記端末装置が決定する事を特徴とする請求項２に記載の多端末通信方式。
【請求項８】
アドレスが付与されていない端末装置自体が中央装置に対しアドレス未設定を報知するタイミングは、前記中央装置に対する端末装置の特定のアドレスの応答回数をトリガとし、前記特定のアドレス及び前記応答回数は前記端末装置が決定する事を特徴とする請求項２に記載の多端末通信方式。
【請求項９】
アドレス未設定端末装置の存在を報知する機能は、アドレスが付与されていない端末装置自体が前記中央装置に対しアドレス未設定を報知するタイミングを報知の都度変更する機能を持つ事を特徴とする請求項１ないし請求項８のうちいずれかに記載の多端末通信方式。
【請求項１０】
室外機と複数の室内機間でポーリングによる通信を行うことにより運転制御が行われる空気調和機において、請求項１ないし請求項９のいずれかに記載の多端末通信方式を備えた空気調和機。
【発明の詳細な説明】
【技術分野】
【０００１】
本発明は、中央装置と複数の端末装置との間における多端末通信方式に関する。
【背景技術】
【０００２】
従来この種の中央装置と複数台の端末装置との間におけるポーリング方式を用いた多端末通信方式においては、中央装置は制御対象となる端末装置を管理する為に必要なアドレスを付与する必要がある。アドレス付与後は、その付与されたアドレスを用いて中央装置と端末装置の通信が実施される。
【０００３】
このアドレスを設定する方法として、端末装置に各々アドレススイッチを設けて設定する場合と、中央装置が複数台の端末装置に対し、通信をしながらアドレスを付与する場合がある。
【０００４】
アドレススイッチによる設定は、台数が多くなると作業が煩雑となり、また、作業者による設定誤り等の課題が存在するため、現在では中央装置が複数台の端末装置に対し、通信をしながらアドレスを付与する方式が広く実施されており、この方法は自動アドレス設定と呼ばれている。
【０００５】
従来、この種のアドレス設定方法としては、例えば個々の室内機に書きこまれた固有の数値を利用して、制御用のアドレスを付与しているものがあった（特許文献１参照）。
【０００６】
図１４は、特許文献１に記載された空気調和機の構成を示す概略図、図１５は、特許文献１に記載された室外機と室内機との内部機構を示す概略図、図１６は、特許文献１に記載された自動アドレス設定を行う際にＣＰＵによって実現される機能ブロックを示す概略図である。以下図１４、図１５及び図１６を用いて特許文献１に記載の自動アドレス設定方法を説明する。
【０００７】
図１４に示す様に、この空気調和機３００には、一台の室外機３１０と複数の室内機３２１〜３２４が設けられている。室外機３１０と各室内機３２１〜３２４とは、通信ライン３４０を介して相互に通信可能となっている。
【０００８】
図１５において、室外機３１０には、ＣＰＵ３１１とＥＥＰＲＯＭ３１２とデータ送信部３１０ａとデータ受信部３１０ｂとが設けられている。また、室内機３２１には、ＣＰＵ４１１とＥＥＰＲＯＭ４１２とデータ送信部３２１ａとデータ受信部３２１ｂとが設けられている。
【０００９】
ＥＥＰＲＯＭ３１２、４１２には、室外機や各室内機それぞれの製造時に付与される固有のシリアル番号（識別番号）や通信のために設定されるアドレスなどが格納される。
【００１０】
なお、図１４に記載されている他の室内機３２２〜３２４についても図１５に示した室内機３２１と同様である。
【００１１】
室外機３１０のＣＰＵ３１１は、通常運転時において複数の室内機３２１〜３２４のそれぞれに対して個別にコンプレッサや室内ファン等の動作を制御する制御信号を送受信する必要があることから、通常運転に先だって自動的に各室内機に対してアドレスを付与する自動アドレス設定が行われる。
【００１２】
室内機３２１のＣＰＵ４１１は、自動アドレス設定の際に通信ライン３４０を介して室外機３１０のＣＰＵ３１１から受信する各種コマンドに対して応答メッセージを送出したり又は無応答状態となったりする機能を有している。
【００１３】
以下、自動アドレス設定を室外機３１０のＣＰＵ３１１が行う場合を例にあげて説明する。
【００１４】
図１６は、自動アドレス設定を行う際に室外機３１０のＣＰＵ３１１によって実現される機能ブロック図である。ＣＰＵ３１１は、まず、アドレスリセット部３１１ａとして機能し、通信ライン３４０に接続されている複数の室内機３２１〜３２４のアドレスをリセットさせる。そして、ＣＰＵ３１１は、各室内機３２１〜３２４においてアドレスがリセットされたことを確認すると、アドレス未設定検出部３１１ｂとして機能し、複数の室内機３２１〜３２４のうちで未だアドレスが設定されていない室内機が存在するか否かを検出する。そして、アドレスの未設定室内機が存在すれば、そのうちでシリアル番号の最も小さい又は最も大きい室内機から順次特定し、固有のアドレスを付与すべく、アドレス設定部３１１ｃとして機能して、一台の室内機を特定してその室内機に対してアドレスを設定付与する。ＣＰＵ３１１は、一つの室内機に対するアドレス設定を完了すると、再びアドレス未設定検出部３１１ｂとして機能し、上記と同様に、未だアドレスが設定されていない室内機が存在するか否かを検出する。全ての室内機３２１〜３２４に既にアドレスが設定付与されている場合は、ＣＰＵ３１１は、アドレス確認部３１１ｄとして機能し、各室内機のアドレスを確認する。そして、各室内機３２１〜３２４に対して設定されたアドレスに異常がない場合には、その後空気調和機の通常運転へと移行していくように構成されている。
【００１５】
次に、各室内機に設定されているシリアル番号を例えば２４ビットのデータとした場合に、一台の室内機を特定する方法を説明する。
【００１６】
例えば、室内機３２１の２４ビットで表現されたシリアル番号が「１０１１１・・・」であり、室内機３２２の２４ビットで表現されたシリアル番号が「１０１１０・・・」であり、室内機３２３の２４ビットで表現されたシリアル番号が「１０１００・・・」であり、室内機３２４の２４ビットで表現されたシリアル番号が「１００００・・・」であったとする。
【００１７】
まず、室外機３１０のＣＰＵ３１１は、上位１ビット目の値が１である室内機が応答するように指令を送信すると、全ての室内機３２１〜３２４の１ビット目が１であるため、全ての室内機３２１〜３２４が応答メッセージを送信する。このとき、各室内機３２１〜３２４のＣＰＵは通信ライン３４０をモニタする事により、自己以外の室内機も応答メッセージを送信したことを認識することができる。
【００１８】
次に、ＣＰＵ３１１は、上位２ビット目の値が１である室内機が応答するように指令を送信するが、全ての室内機３２１〜３２４の２ビット目が０であるため、全ての室内機３２１〜３２４が無応答状態となる。このとき、各室内機３２１〜３２４のＣＰＵは通信ライン３４０をモニタする事により、自己以外の室内機も無応答状態であることを認識することが出来る。ここで、各室内機３２１〜３２４のＣＰＵは、自己が無応答状態となり、かつ、他の室内機が応答メッセージを送信したことを認識すると、それ以降のビットについては確認コマンドが一致したとしても無応答状態を維持するように構成されている一方、自己が無応答状態となり、かつ、他の室内機も無応答状態であることを認識すると、その次のビットについての確認コマンドが一致した時には応答メッセージを送信するように構成されている。このため、２ビット目について全ての室内機３２１〜３２４が無応答状態であるが、次の３ビット目の確認コマンドに対して応答可能な状態となっている。
【００１９】
そして、室外機３１０のＣＰＵ３１１は、次の３ビット目の値が１である室内機が応答するように指令を送信すると、室内機３２１〜３２３の３ビット目が１であるため、３台の室内機３２１〜３２３が応答メッセージを送信し、室内機３２４については無応答状態となる。なお、室内機３２４は、それ以降のビットの確認コマンドに対して無応答状態を維持する。そして、ＣＰＵ３１１は、次の４ビット目の値が１である室内機が応答するように指令を送信すると、室内機３２１、３２２の４ビット目が１であるため、２台の室内機３２１、３２２が応答メッセージを送信し、室内機３２３，３２４については、無応答状態となる。
【００２０】
そして、ＣＰＵ３１１は、次の５ビット目の値が１である室内機が応答するように指令を送信すると、室内機３２１の５ビット目が１であるため、室内機３２１のみが応答メッセージを送信し、、室内機３２２〜３２４については無応答状態となる。このとき初めて、応答する室内機が１台となり、ＣＰＵ３１１は応答メッセージを正常に受信することができるので、この室内機３２１が特定されたこととなりアドレスの設定付与が可能となる。
【００２１】
特定した室内機に対するアドレスの付与が終了すると、ＣＰＵ３１１は、再度１ビット目からビットの確認を再開する。この時点で、室内機についても応答禁止状態がクリアされ、再度各ビットの確認コマンドに対しての応答を再開する。以上の処理を繰り返すことにより、全ての室内機に対しアドレスを付与していく。
【特許文献１】特開２０００−７４４６１号公報
【発明の開示】
【発明が解決しようとする課題】
【００２２】
しかしながら、前記従来の構成において室外機が全ての室内機を特定するためには、自動アドレス設定前に全ての室内機の電源が投入されているという前提が必要である。
【００２３】
機器の設置環境により各機器に対する電源投入時期が異なる場合、例えば、室外機が自動アドレス設定完了後に電源が投入された室内機については、その室内機を室外機が認識することは不可能である。
【課題を解決するための手段】
【００２４】
前記課題を解決するために各室内機にアドレス未設定報知の機能を持たせることにより、室外機に対し室内機からアドレス未設定を報知することが可能となる。
【発明の効果】
【００２５】
本発明は、通信手段としてポーリング方式をとるものに関し、自動アドレス設定完了後に電源が投入された等の原因によりアドレスを持たない端末装置が存在する場合においても、アドレスを持たない端末装置は中央装置に対しアドレス未設定端末装置の存在を報知する機能を持ち、加えて、アドレス未設定端末装置の存在を報知するタイミングを、端末装置自らが種々の情報を用いて決定することにより、中央装置に対し端末装置からアドレス未設定を他の端末装置との通信の衝突を避けつつ、中央装置に対しアドレスが付与されていない端末装置の存在を認識させることが可能となり、中央装置は全ての端末装置に対し再度アドレスを付与することが可能となる。
【発明を実施するための最良の形態】
【００２６】
第１の発明は、アドレスが付与されていない端末装置は、中央装置と複数台の端末装置間の通信において、予め設定されているタイミングで特定のコマンドを中央装置に対し送信することにより、中央装置に対しアドレスが付与されていない端末装置の存在を認識さ
せることが可能となり、中央装置は再度各端末装置に対しアドレスを付与することが可能となる。
【００２７】
第２の発明は、特に、第１の発明のアドレス未設定の報知に際し、その報知するタイミングを決定する機能を各端末装置が持つことにより、他の端末装置との通信の衝突を避けつつ、中央装置に対しアドレスが付与されていない端末装置の存在を認識させることが可能となり、中央装置は再度各端末装置に対しアドレスを付与することが可能となる。
【００２８】
第３の発明は、特に、第２の発明のアドレス未設定を報知するタイミングの決定に際し、その報知するタイミングを、該当端末装置の電源が投入されてからの経過時間が予め設定された時間と一致した場合とする事により、他の端末装置との通信の衝突を避けつつ、中央装置に対しアドレスが付与されていない端末装置の存在を認識させることが可能となり、中央装置は再度各端末装置に対しアドレスを付与することが可能となる。
【００２９】
第４の発明は、特に、第２の発明のアドレス未設定を報知するタイミングの決定に際し、その報知するタイミングを、中央装置が送信する特定のコマンドをトリガとし、特定のコマンドは端末装置が決定する事により、他の端末装置との通信の衝突を避けつつ、中央装置に対しアドレスが付与されていない端末装置の存在を認識させることが可能となり、中央装置は再度各端末装置に対しアドレスを付与することが可能となる。
【００３０】
第５の発明は、特に、第２の発明のアドレス未設定を報知するタイミングの決定に際し、その報知するタイミングを、中央装置からの特定のコマンドの送信回数をトリガとし、特定のコマンド及び送信回数は端末装置が決定する事により、他の端末装置との通信の衝突を避けつつ、中央装置に対しアドレスが付与されていない端末装置の存在を認識させることが可能となり、中央装置は再度各端末装置に対しアドレスを付与することが可能となる。
【００３１】
第６の発明は、特に、第２の発明のアドレス未設定を報知するタイミングの決定に際し、その報知するタイミングを、中央装置からのコマンドの送信回数をトリガとし、送信回数は端末装置が決定する事により、他の端末装置との通信の衝突を避けつつ、中央装置に対しアドレスが付与されていない端末装置の存在を認識させることが可能となり、中央装置は再度各端末装置に対しアドレスを付与することが可能となる。
【００３２】
第７の発明は、特に、第２の発明のアドレス未設定を報知するタイミングの決定に際し、その報知するタイミングを、中央装置に対する端末装置の特定のアドレスをトリガとし、特定のアドレスは端末装置が決定する事により、他の端末装置との通信の衝突を避けつつ、中央装置に対しアドレスが付与されていない端末装置の存在を認識させることが可能となり、中央装置は再度各端末装置に対しアドレスを付与することが可能となる。
【００３３】
第８の発明は、特に、第２の発明のアドレス未設定を報知するタイミングの決定に際し、その報知するタイミングを、中央装置に対する端末装置の特定のアドレスの応答回数をトリガとし、特定のアドレス及び応答回数は端末装置が決定する事により、他の端末装置との通信の衝突を避けつつ、中央装置に対しアドレスが付与されていない端末装置の存在を認識させることが可能となり、中央装置は再度各端末装置に対しアドレスを付与することが可能となる。
【００３４】
第９の発明は、第１の発明から第８の発明の報知するタイミングを報知の都度変更することにより、他の端末装置との通信の衝突を避けつつ、中央装置に対しアドレスが付与されていない端末装置の存在を認識させることが可能となり、中央装置は再度各端末装置に対しアドレスを付与することが可能となる。
【００３５】
第１０の発明は、第１の発明から第９の発明の多端末通信方式を空気調和機搭載することにより、アドレスが設定されていない室内機が存在する場合においても、室外機はその存在を把握し、再度各室内機に対してアドレスを付与することが可能となる。
【００３６】
以下、本発明の実施の形態について、一般的な空気調和機を対象として、図面を参照しながら説明する。なお、この実施の形態によって本発明が限定されるものではない。
【００３７】
（実施の形態１）
一般に、空気調和機においては、室外機および室内機にそれぞれ制御装置が備えられており、両ユニットの制御装置間で相互に通信を行うことにより運転制御が行われている。通信方式としては、近年、バスラインを用いたシリアル通信が採用されており、比較的細い（例えば２芯）の信号ケーブルによって多量のデータの送受信が行われる。
【００３８】
ところで、建屋に空気調和機を設置する際には、空気調和機の室外機を屋上等に配置し、そこから各室内機まで冷媒配管を配管することが多い。このような場合、各空気調和機の信号ケーブルも冷媒配管と同様に個別に敷設されるが、室外機と各室内機間で一つのバスラインを共用させ、ケーブル敷設作業の容易化等を図る構成が一般的である。すなわち、室外機と各室内機とを一本のバスラインで接続し、そのバスラインを介して空気調和機として運転制御を行わせるようにすれば、屋上等から屋内へは一本の信号ケーブルを引き込めば済むことになる。
【００３９】
この種の空気調和機では、一つの空気調和機における室外機と室内機との間の通信は、室外機から出力されるポーリング信号により、所定の時間間隔をもって行われる。
【００４０】
図１は、本発明の実施の形態１における空気調和機１００の構成を示す概略図である。図１に示すように、この空気調和機１００には１台の室外機１０と複数の室内機２１〜２３が設けられている。室外機１０と室内機２１〜２３とは、通信用のバスライン４０を介して相互に通信可能となっている。
【００４１】
図２は、本発明の実施の形態１における室外機１０と室内機２１〜２２との間で行われるポーリングの各々の送信タイミングを表したタイムチャートである。ここで、ｔ１は、室外機が室内機に対して送信を開始する時間間隔であり、ｔ２は、室外機１０から呼ばれた室内機が送信を開始するタイミングを示している。また、図中、Ａ及びＢは、室外機が送信するコマンドであり、Ａ’、Ｂ’は室内機２１が室外機１０のコマンドＡ及びコマンドＢに対する応答であり、Ａ”及びＢ”は室内機２２が室外機１０のコマンドＡ及びコマンドＢに対する応答である。
【００４２】
図３は、本発明の実施の形態１における室外機１０と室内機２１との通信の際に、アドレスが設定されていない室内機２３が割り込むタイミングを表したタイムチャートである。図中Ｃは、室内機がアドレス未設定室内機の存在を報知するコマンドであり、ｔ３は室内機２３がコマンドＣを送信するタイミングを示している。コマンドＡ及びコマンドＢに比較してコマンドＣが短いのは、コマンドＡ及びコマンドＢは室内機に対する制御情報等が含まれるが、コマンドＣについては、状態に関する情報等は含まれていないためである。
【００４３】
図４は、アドレス未設定の室内機が、室外機１０に対しアドレス未設定を報知するコマンドＣを送信する手順を示したフローチャートである。以下に本発明の実施の形態１を図１、図２、図３及び図４を用いて説明する。ここでは、室内機２１から２２までは、室外機１０からの自動アドレス設定によりアドレスが付与されているとし、一方、室内機２３
については、電源投入が遅れた等の理由によりアドレスが付与されていないものとする。
【００４４】
図２に示すように、室外機１０は、室内機２１〜２２に対してポーリングによるシリアルデータ通信を実施している。ここで、室外機はマスターであり、室内機はスレーブである。
【００４５】
室外機１０は決められた時間（ｔ１）間隔で各室内機２１〜２２に対し送信を繰り返しており、一方、各室内機２１〜２２は室外機１０からのデータが自己宛てであれば、室外機１０のデータ送信開始後一定時間（ｔ２）経過した後に室外機１０に対して応答を開始する。このようにして、室外機１０と室内機２１〜２２は順次通信を実施する。ところで、一般的なポーリング方式では、室外機１０は認識している各室内機２１〜２２に対してのみポーリングを実施するため、アドレスを持たない室内機２３が室外機１０から呼ばれることはない。
【００４６】
次に、図１に示すように、バスライン４０によって室外機１０には接続されているが、アドレスを持たない室内機２３の、室外機１０に対するアドレス未設定室内機の存在を報知するコマンドＣを送信する手順について図３及び図４を用いて説明する。
【００４７】
図４において、まず、自己がアドレスを持たないことを確認する（ｓｔ１）。フローチャートには表現していないが、ここでは、室外機がコマンドＡ或いはコマンドＢを送信するのは、アドレス設定等の初期設定完了以降としている。よって、アドレスを持たない室内機の場合は、室外機が送信するコマンドがＡ或いはＢを知ることにより、アドレス設定が終了していることを知ることが可能となる。
【００４８】
ここで、アドレスを持つ場合は処理を終了し、アドレスを持たない場合はｓｔ２へ進む。ｓｔ２では、受信開始によりタイマ１をスタートさせｓｔ３へ進む。ｓｔ３では、室外機１０がコマンドＡを送信するのを待つ。コマンドＡを受信した場合ｓｔ４へ進み、ｓｔ２でスタートさせたタイマ１が所定時間（ｔ３）経過するのを待つ。タイマ１（ｔ３）の時間設定については、他の室内機の応答が開始されるまでに室外機１０がコマンドＣの分析を実行できるような時間に設定する。
【００４９】
ｓｔ４で、タイマ１の値がｔ３を経過した場合ｓｔ５へ進み、室外機１０に向けコマンドＣを送信し（ｓｔ５）、引き続き、タイマ２をスタートさせ（ｓｔ６）ｓｔ７へ進む。ｓｔ７では、タイマ２が予め設定された値（Ｔ）未満であるかどうかを判断する。Ｔ未満である場合はｓｔ８に進み、タイマ２がＴを超過した場合は、コマンドＣが何らかの原因により室外機１０が認識できなかったと判断し、やり直しのためにｓｔ２に戻る。
【００５０】
ｓｔ８では、コマンドＣ送信後アドレス設定が開始されたかどうかを判断する。図には示していないが、例えば室外機１０がコマンドＤを送信した場合は、アドレス設定が開始されたと判断する。ｓｔ８で、アドレス設定が開始された場合は処理を終了し、アドレス設定が開始されない場合はｓｔ７へ戻り、ｓｔ７、ｓｔ８を繰り返す。
【００５１】
上記の様にして、アドレスを持たない室内機２３は、室外機１０に対し、室外機１０のデータ送信後から室内機２１〜２２のいずれかが応答を開始するまでの時間を利用して、アドレス未設定室内機の存在をコマンドＣの送信により知らせることができる。一方、受信状態である室外機１０がコマンドＣを受け取った場合は、アドレス未設定の室内機の存在を認識し、再度アドレス設定処理を実施することとなる。なお、上記の説明では室外機のコマンドＡについて説明をしているが、コマンドＡの代りにコマンドＢでも良い。
【００５２】
（実施の形態２）
図１から図３に対する説明は、実施の形態１における説明と同一であるため、説明を省略する。図５は、本実施の形態２における、アドレス未設定の室内機が、室外機１０に対しアドレス未設定を報知するコマンドＣを送信する手順を示したフローチャートである。以下に本発明の実施の形態２を図１、図３及び図５を用いて説明する。ここでは、室内機２１から２２までは、室外機１０からの自動アドレス設定によりアドレスが付与されているとし、一方、室内機２３については、電源投入が遅れた等の理由によりアドレスが付与されていないものとする。
【００５３】
以下、図１に示すように、バスライン４０によって室外機１０には接続されているが、アドレスを持たない室内機２３の、室外機１０に対するアドレス未設定室内機の存在を報知するコマンドＣを送信する手順について図３及び図５を用いて説明する。フローチャートには図示しないが、室内機２３の電源投入時に、タイマ３がスタートしており、定期的に更新されている。
【００５４】
図５において、まず、自己がアドレスを持たないことを確認する（ｓｔ１）。フローチャートには表現していないが、ここでは、室外機１０がコマンドＡ或いはコマンドＢを送信するのは、アドレス設定等の初期設定完了以降としている。よって、アドレスを持たない室内機の場合は、室外機が送信するコマンドがＡ或いはＢを知ることにより、アドレス設定が終了している事を知ることが可能となる。ここで、アドレスを持つ場合は処理を終了し、アドレスを持たない場合はｓｔ２へ進む。
【００５５】
ｓｔ２では、受信開始によりタイマ１をスタートさせ、ｓｔ３へ進む。ｓｔ３では、室外機がコマンドＡを送信するのを待つ。コマンドＡを受信した場合ｓｔ４に進む。ｓｔ４では、タイマ３が予め設定された時間（ＴＴ）を経過したかどうかを判定する。予め設定された時間（ＴＴ）を経過していない場合はｓｔ２に戻り、経過している場合はｓｔ５へ進む。
【００５６】
ｓｔ５では、ｓｔ２でスタートさせたタイマ１が所定時間（ｔ３）経過するのを待つ。タイマ１（ｔ３）の時間設定については、他の室内機の応答が開始されるまでに室外機１０がコマンドＣの分析を実行できるような時間に設定する。ｓｔ５で、タイマ１の値がｔ３を経過した場合ｓｔ６へ進み、室外機１０に向けコマンドＣを送信し、引き続き、ｓｔ７でタイマ２をスタートさせｓｔ８へ進む。
【００５７】
ｓｔ８では、タイマ２が予め設定された値（Ｔ）未満であるかどうかを判断する。Ｔ未満である場合はｓｔ９に進み、タイマ２がＴを超過した場合は、コマンドＣが何らかの原因により室外機１０が認識できなかったと判断し、タイマ３をクリア（ｓｔ１０）した後、やり直しのためにｓｔ２に戻る。
【００５８】
ｓｔ９では、コマンドＣ送信後アドレス設定が開始されたかどうかを判断する。図には示していないが、例えば室外機１０がコマンドＤを送信した場合は、アドレス設定が開始されたと判断する。アドレス設定が開始された場合は処理を終了し、アドレス設定が開始されない場合はｓｔ８へ戻り、ｓｔ８、ｓｔ９を繰り返す。
【００５９】
上記の様にして、アドレスを持たない室内機２３は、室外機１０に対し、室外機１０のデータ送信後から室内機２１〜２２のいずれかが応答を開始するまでの時間を利用して、アドレス未設定室内機の存在を知らせることができる。一方、受信状態である室外機１０がコマンドＣを受け取った場合は、アドレス未設定の室内機の存在を認識し、再度アドレス設定処理を実施することとなる。なお、上記の説明では室外機のコマンドＡについて説明をしているが、コマンドＡの代りにコマンドＢでも良い。
【００６０】
（実施の形態３）
図１に対する説明は、実施の形態１における説明と同一であるため、説明を省略する。図６は、本発明の実施の形態３における室外機１０と室内機２１との送信データの間で行なわれる通信に対し、アドレスが設定されていない室内機２３が割り込むタイミングを表したタイムチャートである。図中Ｃは、室内機がアドレス未設定室内機の存在を報知するコマンドであり、ｔ３は室内機２３がコマンドＣの送信を開始するタイミングを示している。
【００６１】
図７は、本実施の形態３における、アドレス未設定の室内機が、室外機１０に対しアドレス未設定を報知するコマンドＣを送信する手順を示したフローチャートである。以下に本発明の実施の形態３を図１、図６及び図７を用いて説明する。ここでは、室内機２１から２２までは、室外機１０からの自動アドレス設定によりアドレスが付与されているとし、一方、室内機２３については、電源投入が遅れた等の理由によりアドレスが付与されていないものとする。
【００６２】
以下、図１に示すように、バスライン４０によって室外機１０には接続されているが、アドレスを持たない室内機２３の、室外機１０に対するアドレス未設定室内機の存在を報知するコマンドＣを送信する手順について図６及び図７を用いて説明する。
【００６３】
図７において、まず、自己がアドレスを持たないことを確認する（ｓｔ１）。フローチャートには表現していないが、ここでは、室外機１０がコマンドＡ或いはコマンドＢを送信するのは、アドレス設定等の初期設定完了以降としている。よって、アドレスを持たない室内機の場合は、室外機が送信するコマンドがＡ或いはＢを知ることにより、アドレス設定が終了している事を知ることが可能となる。ここで、アドレスを持つ場合は処理を終了し、アドレスを持たない場合はｓｔ２へ進む。
【００６４】
ｓｔ２では、アドレス未決定を報知するコマンドを送信するタイミングを室外機１０がコマンドＡを送信した後か、或いはコマンドＢを送信した後とするのかを決定しｓｔ３へ進む。ここでは、説明のためコマンドＢ受信後とする。ｓｔ３では、受信開始によりタイマ１をスタートさせｓｔ４へ進む。ｓｔ４では、室外機がｓｔ２で選択したコマンド（本説明ではコマンドＢ）を送信するのを待つ。ｓｔ４でｓｔ２で選択したコマンド（コマンドＢ）を受信した場合ｓｔ５へ進み、ｓｔ３でスタートさせたタイマ１が所定時間（ｔ３）経過するのを待つ。タイマ１（ｔ３）の時間設定については、他の室内機の応答が開始されるまでに室外機１０がコマンドＣの分析を実行できるような時間に設定する。
【００６５】
ｓｔ５で、タイマ１の値がｔ３を経過した場合ｓｔ６へ進み、室外機１０に向けコマンドＣを送信し、ｓｔ７へ進みタイマ２をスタートさせｓｔ８へ進む。ｓｔ８では、タイマ２が予め設定された値（Ｔ）未満であるかどうかを判断する。Ｔ未満である場合はｓｔ９に進み、タイマ２がＴを超過した場合は、コマンドＣが何らかの原因により室外機１０が認識できなかったと判断し、やり直しのためにｓｔ３に戻る。
【００６６】
ｓｔ９では、コマンドＣ送信後アドレス設定が開始されたかどうかを判断する。図には示していないが、例えば室外機１０がコマンドＤを送信した場合は、アドレス設定が開始されたと判断する。アドレス設定が開始された場合は処理を終了し、アドレス設定が開始されない場合はｓｔ８へ戻り、ｓｔ８、ｓｔ９を繰り返す。
【００６７】
上記の様にして、アドレスを持たない室内機２３は、室外機１０に対し、室外機１０のデータ送信後から室内機２１〜２２のいずれかが応答を開始するまでの時間を利用して、アドレス未設定室内機の存在を知らせることができる。一方、受信状態である室外機１０がコマンドＣを受け取った場合は、アドレス未設定の室内機の存在を認識し、再度アドレ
ス設定処理を実施することとなる。
【００６８】
（実施の形態４）
図１及び図６に対する説明は、これまでの説明と同一であるため、説明を省略する。図８は、本実施の形態４における、アドレス未設定の室内機が、室外機１０に対しアドレス未設定を報知するコマンドＣを送信する手順を示したフローチャートである。以下に本発明の実施の形態４を図１、図６及び図８を用いて説明する。
【００６９】
ここでは、室内機２１から２２までは、室外機１０からの自動アドレス設定によりアドレスが付与されているとし、一方、室内機２３については、電源投入が遅れた等の理由によりアドレスが付与されていないものとする。以下、図１に示すように、バスライン４０によって室外機１０には接続されているが、アドレスを持たない室内機２３の、室外機１０に対するアドレス未設定室内機の存在を報知するコマンドＣを送信する手順について図６及び図８を用いて説明する。
【００７０】
図８において、まず、自己がアドレスを持たないことを確認する（ｓｔ１）。フローチャートには表現していないが、ここでは、室外機１０がコマンドＡ或いはコマンドＢを送信するのは、アドレス設定等の初期設定完了以降としている。よって、アドレスを持たない室内機の場合は、室外機が送信するコマンドがＡ或いはＢを知ることにより、アドレス設定が終了している事を知ることが可能となる。ここで、アドレスを持つ場合は処理を終了し、アドレスを持たない場合はｓｔ２へ進む。
【００７１】
ｓｔ２では、アドレス未決定を報知するコマンドを送信するタイミングを室外機１０がコマンドＡを送信した後か、或いはコマンドＢを送信した後とするのかを決定しｓｔ３へ進む。ここでは、説明のためコマンドＢ受信後とする。ｓｔ３では、アドレス未決定を報知するコマンドを送信する時期をｓｔ２で選択したコマンドが何回送信された後に送信するのかという回数（ＣＣ）を決定しｓｔ４へ進む。ｓｔ４では、受信開始によりタイマ１をスタートさせｓｔ５へ進む。ｓｔ５では、室外機がｓｔ２で選択したコマンド（本説明ではコマンドＢ）を送信するのを待つ。
【００７２】
ｓｔ５で、受信したコマンドがコマンドＢではなかった場合はｓｔ４に戻り、コマンドＢを受信した場合はｓｔ６へ進み、受信回数カウンタを＋１した後ｓｔ７へ進む。ｓｔ７では受信回数カウンタとｓｔ３で設定した回数（ＣＣ）を比較する。受信回数カウンタが比較値（ＣＣ）に満たない場合はｓｔ４に戻り、受信回数カウンタが比較値（ＣＣ）を超えた場合はｓｔ８に進む。
【００７３】
ｓｔ８では、ｓｔ４でスタートさせたタイマ１が所定時間（ｔ３）経過するのを待つ。タイマ１（ｔ３）の時間設定については、他の室内機の応答が開始されるまでに室外機１０がコマンドＣの分析を実行できるような時間に設定する。ｓｔ８で、タイマ１の値がｔ３を経過した場合ｓｔ９へ進み、室外機１０に向けコマンドＣを送信しｓｔ１０へ進み、タイマ２をスタートさせｓｔ１１へ進む。ｓｔ１１では、タイマ２が予め設定された値（Ｔ）未満であるかどうかを判断する。Ｔ未満である場合はｓｔ１２に進み、タイマ２がＴを超過した場合は、コマンドＣが何らかの原因により室外機１０が認識できなかったと判断し、ｓｔ１３で受信回数カウンタをクリアした後、やり直しのためにｓｔ４に戻る。
【００７４】
ｓｔ１２では、コマンドＣ送信後アドレス設定が開始されたかどうかを判断する。図には示していないが、例えば室外機１０がコマンドＤを送信した場合は、アドレス設定が開始されたと判断する。アドレス設定が開始された場合は処理を終了し、アドレス設定が開始されない場合はｓｔ１１へ戻り、ｓｔ１１、ｓｔ１２を繰り返す。
【００７５】
上記の様にして、アドレスを持たない室内機２３は、室外機１０に対し、室外機１０のデータ送信後から室内機２１〜２２のいずれかが応答を開始するまでの時間を利用して、アドレス未設定室内機の存在を知らせることができる。一方、受信状態である室外機１０がコマンドＣを受け取った場合は、アドレス未設定の室内機の存在を認識し、再度アドレス設定処理を実施することとなる。
【００７６】
（実施の形態５）
図１から図３に対する説明は、実施の形態１における説明と同一であるため、説明を省略する。図９は、本発明の実施の形態５における、アドレス未設定の室内機が、室外機１０に対しアドレス未設定を報知するコマンドＣを送信する手順を示したフローチャートである。以下に本発明の実施の形態５を図１、図３及び図９を用いて説明する。
【００７７】
ここでは、室内機２１から２２までは、室外機１０からの自動アドレス設定によりアドレスが付与されているとし、一方、室内機２３については、電源投入が遅れた等の理由によりアドレスが付与されていないものとする。以下、図１に示すように、バスライン４０によって室外機１０には接続されているが、アドレスを持たない室内機２３の、室外機１０に対するアドレス未設定室内機の存在を報知するコマンドＣを送信する手順について図３及び図９を用いて説明する。
【００７８】
図９において、まず、自己がアドレスを持たないことを確認する（ｓｔ１）。フローチャートには表現していないが、ここでは、室外機１０がコマンドＡ或いはコマンドＢを送信するのは、アドレス設定等の初期設定完了以降としている。よって、アドレスを持たない室内機の場合は、室外機が送信するコマンドがＡ或いはＢを知ることにより、アドレス設定が終了している事を知ることが可能となる。
【００７９】
ｓｔ１で、アドレスを持つ場合は処理を終了し、アドレスを持たない場合はｓｔ２へ進む。ｓｔ２では、アドレス未決定を報知するコマンドを送信するタイミングを、室外機１０がコマンドを何回送信した後に実施するのかを決定しｓｔ３へ進む。ここで設定する回数をＣＣＣとする。ｓｔ３では、受信開始によりタイマ１をスタートさせｓｔ４へ進む。ｓｔ４では、室外機がコマンドを送信するのを待つ。ここでのコマンドは、コマンドＡ或いはコマンドＢのいずれでも良い。
【００８０】
ｓｔ４で受信したコマンドが室外機１０からのコマンドではなかった場合はｓｔ３に戻り、室外機１０からのコマンドを受信した場合はｓｔ５へ進み、受信回数カウンタを＋１した後ｓｔ６へ進む。ｓｔ６では受信回数カウンタとｓｔ２で設定した回数（ＣＣＣ）を比較する。受信回数カウンタが比較値（ＣＣＣ）に満たない場合はｓｔ３に戻り、受信回数カウンタが比較値（ＣＣＣ）を超える場合はｓｔ７に進む。ｓｔ７では、ｓｔ３でスタートさせたタイマ１が所定時間（ｔ３）経過するのを待つ。
【００８１】
タイマ１（ｔ３）の時間設定については、他の室内機の応答が開始されるまでに室外機１０がコマンドＣの分析を実行できるような時間に設定する。ｓｔ７でタイマ１の値がｔ３を経過した場合ｓｔ８へ進み、室外機１０に向けコマンドＣを送信した後、ｓｔ９でタイマ２をスタートさせｓｔ１０へ進む。ｓｔ１０では、タイマ２が予め設定された値（Ｔ）未満であるかどうかを判断する。Ｔ未満である場合はｓｔ１１に進み、タイマ２がＴを超過した場合は、コマンドＣが何らかの原因により室外機１０が認識できなかったと判断し、ｓｔ１２で受信回数カウンタをクリアした後、やり直しのためにｓｔ３に戻る。
【００８２】
ｓｔ１１では、コマンドＣ送信後アドレス設定が開始されたかどうかを判断する。図には示していないが、例えば室外機１０がコマンドＤを送信した場合は、アドレス設定が開始されたと判断する。ｓｔ１１で、アドレス設定が開始された場合は処理を終了し、アド
レス設定が開始されない場合はｓｔ１０へ戻り、ｓｔ１０、ｓｔ１１を繰り返す。
【００８３】
上記の様にして、アドレスを持たない室内機２３は、室外機１０に対し、室外機１０のデータ送信後から室内機２１〜２２のいずれかが応答を開始するまでの時間を利用して、アドレス未設定室内機の存在を知らせることができる。一方、受信状態である室外機１０がコマンドＣを受け取った場合は、アドレス未設定の室内機の存在を認識し、再度アドレス設定処理を実施することとなる。
【００８４】
（実施の形態６）
図１に対する説明は、実施の形態１における説明と同一であるため、説明を省略する。図１０は、本発明の実施の形態６における室外機１０と室内機２１との送信データの間で行なわれる通信に対し、アドレスが設定されていない室内機２３が割り込むタイミングを表したタイムチャートである。図１１は、本実施の形態６における、アドレス未設定の室内機が、室外機１０に対しアドレス未設定を報知するコマンドＣを送信する手順を示したフローチャートである。
【００８５】
以下に本発明の実施の形態６を図１、図１０及び図１１を用いて説明する。ここでは、室内機２１から２２までは、室外機１０からの自動アドレス設定によりアドレスが付与されているとし、一方、室内機２３については、電源投入が遅れた等の理由によりアドレスが付与されていないものとする。以下、図１に示すように、バスライン４０によって室外機１０には接続されているが、アドレスを持たない室内機２３の、室外機１０に対するアドレス未設定室内機の存在を報知するコマンドＣを送信する手順について図１０及び図１１を用いて説明する。
【００８６】
図１１において、まず、自己がアドレスを持たないことを確認する（ｓｔ１）。フローチャートには表現していないが、ここでは、室外機１０がコマンドＡ或いはコマンドＢを送信するのは、アドレス設定等の初期設定完了以降としている。よって、アドレスを持たない室内機の場合は、室外機が送信するコマンドがＡ或いはＢを知ることにより、アドレス設定が終了している事を知ることが可能となる。
【００８７】
ｓｔ１で、アドレスを持つ場合は処理を終了し、アドレスを持たない場合はｓｔ２へ進む。ｓｔ２では、室外機１０と他の室内機の通信を受信し、設定されているアドレスの抽出を行ないｓｔ３へ進む。本説明においては、設定されているアドレスは２１と２２である。ｓｔ３では、ｓｔ２で抽出したアドレスのいずれの室内機の次に割り込むかを決定し、ｓｔ４に進む。本説明においては、室内機２２を選択したものとする。ｓｔ４では、受信開始によりタイマ１をスタートさせｓｔ５へ進む。ｓｔ５では、選択した室内機（室内機２２）がコマンドを送信するのを待つ。ｓｔ５で受信したコマンドが選択した室内機からのものではなかった場合はｓｔ４に戻り、選択した室内機（室内機２２）である場合ｓｔ６へ進む
ｓｔ６では、ｓｔ４でスタートさせたタイマ１が所定時間（ｔ３）経過するのを待つ。タイマ１（ｔ３）の時間設定については、選択した室内機の応答が終了し、次に室外機１０が送信を開始するまでの時間の間で設定する。ｓｔ６でタイマ１の値がｔ３を経過した場合ｓｔ７へ進み、室外機１０に向けコマンドＣを送信した後ｓｔ８へ進み、タイマ２をスタートさせｓｔ９へ進む。ｓｔ９では、タイマ２が予め設定された値（Ｔ）未満であるかどうかを判断する。Ｔ未満である場合はｓｔ１０に進み、タイマ２がＴを超過した場合は、コマンドＣが何らかの原因により室外機１０が認識できなかったと判断し、やり直しのためにｓｔ４に戻る。
【００８８】
ｓｔ１０では、コマンドＣ送信後アドレス設定が開始されたかどうかを判断する。図には示していないが、例えば室外機１０がコマンドＤを送信した場合は、アドレス設定が開
始されたと判断する。ｓｔ１０で、アドレス設定が開始された場合は処理を終了し、アドレス設定が開始されない場合はｓｔ９へ戻り、ｓｔ９、ｓｔ１０を繰り返す。
【００８９】
上記の様にして、アドレスを持たない室内機２３は、選択した室内機の送信完了後から室外機１０が送信を開始するまでの時間を利用して、アドレス未設定室内機の存在を知らせることができる。一方、受信状態である室外機１０がコマンドＣを受け取った場合は、アドレス未設定の室内機の存在を認識し、再度アドレス設定処理を実施することとなる。
【００９０】
（実施の形態７）
図１に対する説明は、実施の形態１における説明と同一であるため、説明を省略する。図１２は、本実施の形態７における、アドレス未設定の室内機が、室外機１０に対しアドレス未設定を報知するコマンドＣを送信する手順を示したフローチャートである。以下に本発明の実施の形態７を図１、図１０及び図１２を用いて説明する。ここでは、室内機２１から２２までは、室外機１０からの自動アドレス設定によりアドレスが付与されているとし、一方、室内機２３については、電源投入が遅れた等の理由によりアドレスが付与されていないものとする。
【００９１】
以下、図１に示すように、バスライン４０によって室外機１０には接続されているが、アドレスを持たない室内機２３の、室外機１０に対するアドレス未設定室内機の存在を報知するコマンドＣを送信する手順について図１０及び図１２を用いて説明する。図１２において、まず、自己がアドレスを持たないことを確認する（ｓｔ１）。フローチャートには表現していないが、ここでは、室外機１０がコマンドＡ或いはコマンドＢを送信するのは、アドレス設定等の初期設定完了以降としている。よって、アドレスを持たない室内機の場合は、室外機が送信するコマンドがＡ或いはＢを知ることにより、アドレス設定が終了している事を知ることが可能となる。
【００９２】
ｓｔ１で、アドレスを持つ場合は処理を終了し、アドレスを持たない場合はｓｔ２へ進む。ｓｔ２では、室外機１０と他の室内機の通信を受信し、設定されている室内機のアドレスの抽出を行ないｓｔ３へ進む。本説明においては、設定されているアドレスは２１と２２である。ｓｔ３では、ｓｔ２で抽出したアドレスのいずれの室内機の次に割り込むかを決定し、ｓｔ４に進む。本説明においては、室内機２２を選択したものとする。
【００９３】
ｓｔ４では、アドレス未決定を報知するコマンドを送信する時期をｓｔ３で選択した室内機が何回送信した後に実施するのかという回数（ＣＣ）を決定しｓｔ５へ進む。ｓｔ５では、受信開始によりタイマ１をスタートさせｓｔ６へ進む。ｓｔ６では、選択した室内機（室内機２２）がコマンドを送信するのを待つ。ｓｔ６で、受信したコマンドが選択した室内機（室内機２２）からのものではなかった場合はｓｔ５に戻り、選択した室内機（室内機２２）である場合ｓｔ７へ進む。
【００９４】
ｓｔ７では、受信回数カウンタを＋１し、ｓｔ８へ進む。ｓｔ８では、受信回数カウンタとｓｔ４で決定した回数（CC）を比較し、受信回数カウンタが設定した回数を超えている場合はｓｔ９へ進み、超えていない場合はｓｔ５へ戻る。ｓｔ９では、ｓｔ５でスタートさせたタイマ１が所定時間（ｔ３）経過するのを待つ。タイマ１（ｔ３）の時間設定については、選択した室内機の応答が終了し、次に室外機１０が送信を開始するまでの時間の間で設定する。
【００９５】
ｓｔ９で、タイマ１の値がｔ３を経過した場合ｓｔ１０へ進み、室外機１０に向けコマンドＣを送信した後ｓｔ１１へ進み、タイマ２をスタートさせｓｔ１２へ進む。ｓｔ１２ではタイマ２が予め設定された値（Ｔ）未満であるかどうかを判断する。Ｔ未満である場合はｓｔ１３に進み、タイマ２がＴを超過した場合は、コマンドＣが何らかの原因により
室外機１０が認識できなかったと判断し、受信回数カウンタをクリア（ｓｔ１４）した後、やり直しのためにｓｔ５に戻る。
【００９６】
ｓｔ１３では、コマンドＣ送信後アドレス設定が開始されたかどうかを判断する。図には示していないが、例えば室外機１０がコマンドＤを送信した場合は、アドレス設定が開始されたと判断する。ｓｔ１３で、アドレス設定が開始された場合は処理を終了し、アドレス設定が開始されない場合はｓｔ１２へ戻り、ｓｔ１２、ｓｔ１３を繰り返す。
【００９７】
上記の様にして、アドレスを持たない室内機２３は、選択した室内機の送信完了後から室外機１０が送信を開始するまでの時間を利用して、アドレス未設定室内機の存在を知らせることができる。一方、受信状態である室外機１０がコマンドＣを受け取った場合は、アドレス未設定の室内機の存在を認識し、再度アドレス設定処理を実施することとなる。
【００９８】
（実施の形態８）
図１及び図６に対する説明は、これまでにおける説明と同一であるため、説明を省略する。図１３は、本実施の形態８における、アドレス未設定の室内機が、室外機１０に対しアドレス未設定を報知するコマンドＣを送信する手順を示したフローチャートである。以下に本発明の実施の形態７を図１、図６及び図１３を用いて説明する。ここでは、室内機２１から２２までは、室外機１０からの自動アドレス設定によりアドレスが付与されているとし、一方、室内機２３については、電源投入が遅れた等の理由によりアドレスが付与されていないものとする。
【００９９】
以下、図１に示すように、バスライン４０によって室外機１０には接続されているが、アドレスを持たない室内機２３の、室外機１０に対するアドレス未設定室内機の存在を報知するコマンドＣを送信する手順について図６及び図１２を用いて説明する。
【０１００】
図１３において、まず、自己がアドレスを持たないことを確認する（ｓｔ１）。フローチャートには表現していないが、ここでは、室外機１０がコマンドＡ或いはコマンドＢを送信するのは、アドレス設定等の初期設定完了以降としている。よって、アドレスを持たない室内機の場合は、室外機が送信するコマンドがＡ或いはＢを知ることにより、アドレス設定が終了している事を知ることが可能となる。
【０１０１】
ｓｔ１で、アドレスを持つ場合は処理を終了し、アドレスを持たない場合はｓｔ２へ進む。ｓｔ２で、アドレス未決定を報知するコマンドを送信するタイミングを室外機１０がコマンドＡを送信した後か、或いはコマンドＢを送信した後とするのかを決定しｓｔ３へ進む。ここでは、説明のためコマンドＢ受信後とする。ｓｔ３では、受信開始によりタイマ１をスタートさせｓｔ４へ進む。ｓｔ４では室外機がｓｔ２で選択したコマンド（本説明ではコマンドＢ）を送信するのを待つ。ｓｔ４でコマンドＢを受信した場合はｓｔ５へ進み、ｓｔ５でｓｔ３でスタートさせたタイマ１が所定時間（ｔ３）経過するのを待つ。タイマ１（ｔ３）の時間設定については、他の室内機の応答が開始されるまでに室外機１０がコマンドＣの分析を実行できるような時間に設定する。
【０１０２】
ｓｔ５で、タイマ１の値がｔ３を経過した場合ｓｔ６へ進み、室外機１０に向けコマンドＣを送信した後、ｓｔ７でタイマ２をスタートさせｓｔ８へ進む。ｓｔ８では、タイマ２が予め設定された値（Ｔ）未満であるかどうかを判断する。Ｔ未満である場合はｓｔ９に進み、タイマ２がＴを以上の場合は、コマンドＣが何らかの原因により室外機１０が認識できなかったと判断し、やり直しのためにｓｔ２に戻り再度報知するコマンドＣを割り込ませるコマンドの選択からやりなおす。
【０１０３】
ｓｔ９では、コマンドＣ送信後アドレス設定が開始されたかどうかを判断する。図には
示していないが、例えば室外機１０がコマンドＤを送信した場合は、アドレス設定が開始されたと判断する。ｓｔ９ではアドレス設定が開始された場合は処理を終了し、アドレス設定が開始されない場合はｓｔ８へ戻り、ｓｔ８、ｓｔ９を繰り返す。
【０１０４】
上記の様にして、アドレスを持たない室内機２３は、室外機１０に対し、室外機１０のデータ送信後から室内機２１〜２２のいずれかが応答を開始するまでの時間を利用して、アドレス未設定室内機の存在を知らせることができる。一方、受信状態である室外機１０がコマンドＣを受け取った場合は、アドレス未設定の室内機の存在を認識し、再度アドレス設定処理を実施することとなる。
【産業上の利用可能性】
【０１０５】
本発明にかかる多端末通信方式および多端末通信方式を備えた空気調和機は、一台の中央装置に対し複数の端末装置を有するシステムにおいて、ポーリングという固定された順番をもつ通信方式でありながら、アドレスを持たない端末装置が発生した場合においても、その存在を知らせることが可能となるので、空調機のみではなく、他のポーリング方式を採用するマスター、スレーブの関係を持つ機器全般においても適用できる。
【図面の簡単な説明】
【０１０６】
【図１】本発明の実施の形態１における空気調和機１００の構成を示す概略図
【図２】本発明の実施の形態１における室外ユニット１０と室内ユニット２１〜２２との間で行われるポーリングの各々の送信タイミングを表したタイムチャート
【図３】本発明の実施の形態１における室外ユニット１０と室内ユニット２１との送信データの間で行なわれる通信に対し、アドレスが設定されていない室内機２３が割り込むタイミングを表したタイムチャート
【図４】本発明の実施の形態１におけるアドレス未設定の室内機が、室外機１０に対しアドレス未設定を報知するコマンドＣを送信する手順を示したフローチャート
【図５】本発明の実施の形態２における、アドレス未設定の室内機が、室外機１０に対しアドレス未設定を報知するコマンドＣを送信する手順を示したフローチャート
【図６】本発明の実施の形態３における室外ユニット１０と室内ユニット２１との送信データの間で行なわれる通信に対し、アドレスが設定されていない室内機２３が割り込むタイミングを表したタイムチャート
【図７】本発明の実施の形態３における、アドレス未設定の室内機が、室外機１０に対しアドレス未設定を報知するコマンドＣを送信する手順を示したフローチャート
【図８】本発明の実施の形態４における、アドレス未設定の室内機が、室外機１０に対しアドレス未設定を報知するコマンドＣを送信する手順を示したフローチャート
【図９】本発明の実施の形態５における、アドレス未設定の室内機が、室外機１０に対しアドレス未設定を報知するコマンドＣを送信する手順を示したフローチャート
【図１０】本発明の実施の形態６における室外ユニット１０と室内ユニット２１との送信データの間で行なわれる通信に対し、アドレスが設定されていない室内機２３が割り込むタイミングを表したタイムチャート
【図１１】本発明の実施の形態６における、アドレス未設定の室内機が、室外機１０に対しアドレス未設定を報知するコマンドＣを送信する手順を示したフローチャート
【図１２】本発明の実施の形態７における、アドレス未設定の室内機が、室外機１０に対しアドレス未設定を報知するコマンドＣを送信する手順を示したフローチャート
【図１３】本発明の実施の形態８における、アドレス未設定の室内機が、室外機１０に対しアドレス未設定を報知するコマンドＣを送信する手順を示したフローチャート
【図１４】従来の空気調和機の構成を示す概略図
【図１５】従来の室外機と室内機との内部機構を示す概略図
【図１６】従来の自動アドレス設定を行う際にＣＰＵによって実現される機能ブロックを示す概略図
【符号の説明】
【０１０７】
１０  室外機
２１、２２、２３  室内機
１００  空気調和機
【図１】
2006177630.tif 000003
【図２】
2006177630.tif 000004
【図３】
2006177630.tif 000005
【図４】
2006177630.tif 000006
【図５】
2006177630.tif 000007
【図６】
2006177630.tif 000008
【図７】
2006177630.tif 000009
【図８】
2006177630.tif 000010
【図９】
2006177630.tif 000011
【図１０】
2006177630.tif 000012
【図１１】
2006177630.tif 000013
【図１２】
2006177630.tif 000014
【図１３】
2006177630.tif 000015
【図１４】
2006177630.tif 000016
【図１５】
2006177630.tif 000017
【図１６】
2006177630.tif 000018